(57)【要約】【課題】ストラップやバック片が不要であるにもかかわらず、安定性が良く、補整機能も高いブラジャーを提供すること。【解決手段】胸部を通って左右の脇部に達する帯状の土台部３と左右のカップ部４とが一体に形成された基台１を有し、土台部３における少なくとも左右の脇部の裏面には粘着層２が積層されている。粘着層２は粘着性シリコンゲルより成り、基台１は発泡ウレタンを素材とする。基台１の裏面全面に粘着層２を積層しても良いし、カップ部４の裏面の一部にも粘着層２を積層することができる。【選択図】図１
2007291581.tif 000002
【特許請求の範囲】
【請求項１】
胸部を通って左右の脇部に達する帯状の土台部と左右のカップ部とが一体に形成された基台を有し、少なくとも前記左右の脇部の裏面には粘着層が積層されていることを特徴としたブラジャー。
【請求項２】
前記粘着層は粘着性シリコンゲルより成る請求項１に記載のブラジャー。
【請求項３】
前記基台は発泡ウレタンを素材とする請求項１又は２に記載のブラジャー。
【請求項４】
前記基台の裏面全面に粘着層を設けてある請求項１乃至３のいずれかに記載のブラジャー。
【請求項５】
前記カップ部の裏面の一部に粘着層を設けてある請求項１乃至３のいずれかに記載のブラジャー。
【発明の詳細な説明】
【技術分野】
【０００１】
本発明は、人体に貼り付けて装着するブラジャーに関する。
【背景技術】
【０００２】
一般的なブラジャーは、胸囲部を取り巻く帯状片の前部左右にカップ部を設け、カップ部上端から帯状片の背部に亘ってストラップを架け渡してある。
このようなブラジャーを、背中や首回りが大きく開いた衣服の内側に着用すると、ストラップ或いは帯状片の背部に設けたバック片が露出して体裁が悪い。
そこで、従来、一対のバスト形状物で構成され、それぞれのバスト形状物は、熱可塑性フィルムの間に包まれたシリコン材質と、粘着層をほぼ全面に配した内表面と、内側の間に定位され、バスト形状物を連結するための連結部とから成る貼着式バストアップシステムが提案されている（特許文献１参照）。
このバストアップシステムによれば、ストラップやカップがない状態で着用でき、触感も人体に類似しているが、バスト形状物が変形しやすいので理想的なバストラインを形成し難く、重量が重いため着用感に問題がある。
【０００３】
また、発泡材、発泡材の内面側と外面側を覆う内部生地層、内部生地層を覆う内面層及び外面層から成るカップ部を皮膚に粘着するようにしたブラジャーが公知である（特許文献２参照）。
このブラジャーは、軽量でカップ部の形状も変化し難いが、カップ部の形状が乳房形状に合わないとずり落ちる心配があって安定性が悪く、カップ部を下方から支持する部材が無いため寄せ上げ効果も期待できない。
【０００４】
【特許文献１】特許第３７２１４２９号公報
【特許文献２】特許第３７３５８１８号公報
【発明の開示】
【発明が解決しようとする課題】
【０００５】
本発明が解決しようとする課題は、ストラップやバック片が不要であるにもかかわらず、安定性が良く、補整機能も高いブラジャーを提供することにある。
【課題を解決するための手段】
【０００６】
本発明のブラジャーは、胸部を通って左右の脇部に達する帯状の土台部と左右のカップ部とが一体に形成された基台を有し、少なくとも前記左右の脇部の裏面には粘着層が積層されている。
前記粘着層は粘着性シリコンゲルとするのが望ましい。
前記基台は発泡ウレタンを素材とすることが多い。
前記基台の裏面全面に粘着層を積層しても良い。
或いは、土台部裏面に加えて、前記カップ部の裏面の一部に粘着層を設けても良い。
【発明の効果】
【０００７】
請求項１に係る発明によれば、粘着層を介して人体に貼り付けて装着するので、ストラップやバック片が不要であり、首回りや背部が大きく開いた衣服を着用する際に露出する心配が無い。
また、土台部とカップ部とが一体に形成され、土台部の左右の脇部裏面に粘着層が設けられているため、カップ部が乳房形状とフィットしていなくても、ずり落ちる心配が無く安定性が良い。
さらに、左右のカップ部が土台部によって上方に支持されているので、乳房の寄せ上げ機能を発揮できる。
【０００８】
請求項２に係る発明によれば、毒性が無くて人体への悪影響が少なく、長期間粘着性が保持される。
請求項３に係る発明によれば、軽量なので着用感が良好であるばかりか、カップ部の形状が崩れないため美しいバストラインを維持できる。
請求項４に係る発明によれば、さらに安定性が増す。
請求項５に係る発明によれば、カップ部の通気性を確保しながら、カップ部も貼り付けることができるので、安定性と良好な着用感の双方を得ることが可能である。
【発明を実施するための最良の形態】
【０００９】
本発明のブラジャーは、基台と、基台の裏面に積層した粘着層とから成る。
基台は、胸部を通って左右の脇部に達する帯状の土台部と左右のカップ部とを一体に形成してある。
粘着層は、少なくとも左右の脇部の裏面に積層する。
以下、本発明の実施例を詳細に説明する。
【実施例１】
【００１０】
図１及び図２は本発明の実施例１を示し、図１はブラジャーの裏面図、図２はブラジャーの断面図である。
本実施例のブラジャーは、基台１と、基台１の裏面全面（図１の斜線部分）に積層した粘着層２とから成る。
基台１は、やや硬めの発泡ポリウレタンを素材とし、胸部を通って左右の脇部に達する帯状の土台部３と左右のカップ部４とをモールド成形により一体に形成する。これにより、基台１は、胸囲部の湾曲に沿うよう撓むことができ、しかも、特に補助的な部材が無くてもその形を維持するようになっている。
【００１１】
カップ部４は、下半部が上部よりも厚くなるよう乳房形状に成形され、その下方に配置した土台部３の両端部がカップ部４から外方（脇方）へ翼状に張り出している。
また、基台１の外面を薄手で伸縮性のあるカバー布５で被覆し、基台１の周縁には、カバー布５と同素材のバイアステープ６でパイピングを施してある。
粘着層２の素材としては、人体に対する影響が少なくて、貼着・剥離を繰り返しても粘着性が失われ難い粘着性シリコンゲルが適している。なお、粘着層２を付着した基台１の裏面全面とは、周縁のパイピング部分を除いた部分であり、粘着層２が表面にはみ出さないようになっている。
【００１２】
このブラジャーを、粘着層２を介して胸部に貼り付けると、カップ部４が乳房にフィットせず一部浮いていても、両側の脇部間に亘って土台部３が貼り付くため、ずり落ちる心配は無い。
また、カップ部４は理想的な乳房形状に成形されていてその形を保持すると共に、土台部３で下方から支持されているので、乳房を寄せ上げて美しいバストラインを形作ることができる。
【実施例２】
【００１３】
図３は、実施例２に係るブラジャーの裏面図である。
粘着層２は、土台部３の裏面のみ（図３の斜線部分）に積層されている。土台部３は両側の脇部間に達する充分な面積を有し、カップ部４は土台部３で支持されているので、土台部３を貼り付けて装着した時にずり落ちることは無い。
このブラジャーは、安定性が実施例１のものに比べて若干落ちるが、カップ部４の裏面に粘着層２が設けられていないので、カップ部４の通気性が良くなり、しかも、カップ部４が敏感な乳房部に貼り付かないので、着用感が向上する。
その他の構成は、実施例１と格別異なる点は無い。
【実施例３】
【００１４】
図４は、実施例３に係るブラジャーの裏面図である。
基台１において、カップ部４裏面の頂部近傍を除いた部分と、土台部３の裏面（図４の斜線部分）に粘着層２が積層されている。
本実施例では、カップ部４の裏面の一部にも粘着層２が設けられているので、その部分が乳房にフィットすると共に、粘着層２が設けられていない部分の通気性を確保することもでき、着用感の向上を図ることができる。また、乳房の中でも特に敏感なトップ部分に粘着層２が触れないので、皮膚のかぶれや不快感を防止できる。
その他の構成は、実施例１及び２とほぼ同様である。
【００１５】
なお、カップ部４の裏面に粘着層２を設ける場合は、面状に積層する必要は無い。例えば、カップ部４の裏面に粘着層２を複数の平行な線状に設けたり、縦横に交差する線状に設けても良いし、或いは、複数の点状に設けることもできる。
また、実施例１〜実施例３では土台部３の裏面全面に粘着層２を設けたが、必ずしも、土台部３の裏面全面に粘着層２を設けなくても良い。少なくとも、左右の脇部の裏面に粘着層２が設けられていれば良い。例えば、土台部３においてカップ部４間の部分は、乳房部の谷間から浮き上がって人体に密着し難いので、その裏面に粘着層２を設けなくても安定性がそれほど低下することはない。
【図面の簡単な説明】
【００１６】
【図１】実施例１を示すブラジャーの裏面図。
【図２】実施例１を示すブラジャーの断面図。
【図３】実施例２を示すブラジャーの裏面図。
【図４】実施例３を示すブラジャーの裏面図。
【符号の説明】
【００１７】
１  基台
２  粘着層
３  土台部
４  カップ部
５  カバー布
６  バイアステープ
【図１】
2007291581.tif 000003
【図２】
2007291581.tif 000004
【図３】
2007291581.tif 000005
【図４】
2007291581.tif 000006